(57)【要約】      （修正有）【課題】この考案は、コンビニエンスストアー等の小売販売店において、深夜、金銭を要求する強盗の凶器から防護し、且つ大音響の警音を発生させて、強盗に金銭要求を断念させて撃退する警音器付防護盾装置の提供。【解決手段】警音器の警音発生スイッチ２ａを配備した防護盾３と、該警音発生スイッチを配備した防護盾を抜き差し自在の保護盾ポケットを配備し、かつ、該警音発生スイッチと関連する警音器本体２ｂを具備したカウンター用設置台と、下半背面側に、前記カウンター用設置台を上方から差込み収容自在のカウンター用設置台差込みポケット１３を設け、同じくその上半正面側にドアー、棚等へのフックを設けたバックカウンター取付用設置台とからなる。【選択図】図７
0003108610.tif 000002
【実用新案登録請求の範囲】
【請求項１】
警音器の警音発生スイッチを配備した防護盾と、該警音発生スイッチを配備した防護盾を抜き差し自在の保護盾ポケットを配備し、かつ、該警音発生スイッチと関連する警音器本体を具備したカウンター用設置台とからなる警音器付防護盾装置。
【請求項２】
前記警音器の警音発生スイッチを配備した防護盾は、所要厚の部材を所要形に設けられる板体の背面に、上下端を連接固着して配備するハンドルと、板体の背面において、ハンドルの下方に警音器の警音発生スイッチを固着配備してなる請求項１の警音器付防護盾装置。
【請求項３】
前記カウンター用設置台は、背面板部の正面側に保護盾の下半１／２〜１／４程度を抜き差し自在に差込保持する保護盾ポケットを設け、背面板部の上縁は、保護盾ポケットの上縁より上方へ所要高さ突出し、その上部背面の左右側線寄りに左右が同一軸線の軸受筒を設け、その左右の軸受筒に傾斜支持用脚における左右の先端に形成した軸部を差込み、その軸受筒を中心に傾斜支持用脚の全体を所要角回動自在に支承してなる請求項１または請求項２の警音器付防護盾装置。
【請求項４】
前記傾斜支持用脚の左右先端の軸部に連続する内側所要長さを同一面上の方形枠に左右に折曲形成し、この方形枠を上端部とし、この方形枠を背面板部に連接し、傾斜支持用脚の背面板部に対する展開角を一定に規制してなる請求項２または請求項３の警音器付防護盾装置。
【請求項５】
前記傾斜支持用脚の下端接面部の中間部を所要巾前方側へコ字形に折曲・突設してクリップ部を設けてなる請求項３または請求項４の警音器付防護盾装置。
【請求項６】
背面板部の中央部は、保護盾ポケットの上縁より下方へ方形の差し込み口を設け、この差し込み口の底縁と背面板部の背面壁板部底縁との間における背面板部の背面に警音器本体を取付け、前記防護盾を保護盾ポケットに差込保持時に警音発生スイッチを警音器本体に連接し、その警音器本体を発生待機状態に維持するように設けてなる請求項３、請求項４または請求項５の警音器付防護盾装置。
【請求項７】
警音器の警音発生スイッチを配備した防護盾と、該警音発生スイッチを配備した防護盾を抜き差し自在の保護盾ポケットを配備し、かつ、該警音発生スイッチと関連する警音器本体を具備したカウンター用設置台と、下半背面側に、前記カウンター用設置台を上方から差込み収容自在のカウンター用設置台差込みポケットを設け、同じくその上半正面側にドアー、棚等へのフックを設けたバックカウンター取付用設置台とからなる警音器付防護盾装置。
【請求項８】
前記バックカウンター取付用設置台のカウンター用設置台差込みポケットは、正面板部の背面側に、上部の一部を残して下方の左右側縁と下縁より背面側に折曲接続して左右側壁と底壁を形成すると共に、それらの先端縁に背面板部をコ字型に接続形成し、また、背面板部のコ字型内縁の内側を開口し、該カウンター用設置台差込みポケットに前記警音器本体を配置したカウンター用設置台を差し込み自在に形成してなる請求項７の警音器付防護盾装置。
【請求項９】
前記フックは、前記正面板部には、帯状板をもって、正面板部の上縁より上方に所要長さ突出する背面側吊架部と、その上端を正面側に所要巾折曲して天部を設けると共に、その先端側を所要長さ下方に折曲して正面側吊架部に設け、それら左右のフックの天部を中心に背面側吊部と正面側吊架部とによりバックカウンターのドアーの上端に掛架すると共に両側から該ドアーの両面を挟持して設置できるように設けてなる請求項８または請求項９の警音器付防護盾装置。
【請求項１０】
前記バックカウンター取付用設置台における正面板部の正面に吸盤を配備し、バックカウンターのドアーにセット時に吸着し、ドアーに固着してなる請求項７、請求項８または請求項９の警音器付防護盾装置。
【考案の詳細な説明】
【技術分野】
【０００１】
本考案は、コンビニエンスストアー等の小売販売店において、深夜、金銭を要求する強盗の凶器から防護し、且つ大音響の警音を発生させて、強盗に金銭要求を断念させて撃退する警音器付防護盾装置に関するものである。
【背景技術】
【０００２】
従来、コンビニエンスストアー等の小売販売店において、強盗から凶器を突き付けられて金銭を要求されたとき、その凶器から身を守るために、例えば、第１に特開２０００−３５２８８号公報では、防刃盾が提案されている。また、身を守りつつその要求を断念させるために、例えば、第２に特開２００４−２８３８４５号公報では、防護盾に警音器を取付け、防護盾の使用により身を守ると共に、警音器から発する大音響により、怯ませ、かつ、周囲に強盗侵入の非常事態を報知させる警音器つき防護盾の提案がある。
【特許文献１】特開２０００−３５２８８号公報
【特許文献２】特開２００４−２８３８４５号公報
【考案の開示】
【考案が解決しようとする課題】
【０００３】
前記第１の防刃盾による防御では、刃物の横滑りを防止することが可能であるとしても、屈強な強盗に腕力負けをすれば、応対者の防刃盾は撥ね飛ばされ、一層、危険な事態を招くおそれがある。
【０００４】
前記第２の防護盾に警音器を固着配備ものでは、その警音器から発する大音響により、怯ませ、かつ、周囲に強盗侵入を報知させる機能を奏するものであるが、その大音響を停止しようと防護盾を奪い返す行動に出ることが予測されて、第１の提案の防刃盾と同様に応対者に危険がある。
【０００５】
この考案の警音器付防護盾装置は、かかる従来の欠点を改善し、これを、コンビニエンスストアー等の小売販売店における小さなスペース、または活用されていないスペースを活用して常備し、金銭を要求する強盗の凶器から従業者を安全な防護し、かつ、強盗に金銭要求を断念させて撃退し、その被害を可及的に無くそうとするものである。
【課題を解決するための手段】
【０００６】
警音器の警音発生スイッチを配備した防護盾と、該警音発生スイッチを配備した防護盾を抜き差し自在の保護盾ポケットを配備し、かつ、該警音発生スイッチと関連する警音器本体を具備したカウンター用設置台とからなる警音器付防護盾装置にある。
【０００７】
前記警音器の警音発生スイッチを配備した防護盾は、所要厚の部材を所要形に設けられる板体の背面に、上下端を連接固着して配備するハンドルと、板体の背面において、ハンドルの下方に警音器の警音発生スイッチを固着配備してもよいものである。
【０００８】
前記カウンター用設置台は、背面板部の正面側に保護盾の下半１／２〜１／４程度を抜き差し自在に差込保持する保護盾ポケットを設け、背面板部の上縁は、保護盾ポケットの上縁より上方へ所要高さ突出し、その上部背面の左右側線寄りに左右が同一軸線の軸受筒を設け、その左右の軸受筒に傾斜支持用脚における左右の先端に形成した軸部を差込み、その軸受筒を中心に傾斜支持用脚の全体を所要角回動自在に支承してもよいものである。
【０００９】
前記傾斜支持用脚の左右先端の軸部に連続する内側所要長さを同一面上の方形枠に左右に折曲形成し、この方形枠を上端部とし、この方形枠を背面板部に連接し、傾斜支持用脚の背面板部に対する展開角を一定に規制してもよいものである。
【００１０】
前記傾斜支持用脚の下端接面部の中間部を所要巾前方側へコ字形に折曲・突設してクリップ部を設けてもよいものである。
【００１１】
背面板部の中央部は、保護盾ポケットの上縁より下方へ方形の差し込み口を設け、この差し込み口の底縁と背面板部の背面壁板部底縁との間における背面板部の背面に警音器本体を取付け、前記防護盾を保護盾ポケットに差込保持時に警音発生スイッチを警音器本体に連接し、その警音器本体を発生待機状態に維持するように設けてもよいものである。
【００１２】
警音器の警音発生スイッチを配備した防護盾と、該警音発生スイッチを配備した防護盾を抜き差し自在の保護盾ポケットを配備し、かつ、該警音発生スイッチと関連する警音器本体を具備したカウンター用設置台と、下半背面側に、前記カウンター用設置台を上方から差込み収容自在のカウンター用設置台差込みポケットを設け、同じくその上半正面側にドアー、棚等へのフックを設けたバックカウンター取付用設置台とからなる警音器付防護盾装置としてもよいものである。
【００１３】
前記バックカウンター取付用設置台のカウンター用設置台差込みポケットは、正面板部の背面側に、上部の一部を残して下方の左右側縁と下縁より背面側に折曲接続して左右側壁と底壁を形成すると共に、それらの先端縁に背面板部をコ字型に接続形成し、また、背面板部のコ字型内縁の内側を開口し、該カウンター用設置台差込みポケットに前記警音器本体を配置したカウンター用設置台を差し込み自在に形成してもよいものである。
【００１４】
前記フックは、前記正面板部には、帯状板をもって、正面板部の上縁より上方に所要長さ突出する背面側吊架部と、その上端を正面側に所要巾折曲して天部を設けると共に、その先端側を所要長さ下方に折曲して正面側吊架部に設け、それら左右のフックの天部を中心に背面側吊部と正面側吊架部とによりバックカウンターのドアーの上端に掛架すると共に両側から該ドアーの両面を挟持して設置できるように設けてもよいものである。
【００１５】
前記バックカウンター取付用設置台における正面板部の正面に吸盤を配備し、バックカウンターのドアーにセット時に吸着し、ドアーに固着してもよいものである。
【考案の効果】
【００１６】
本考案の警音器付防護盾装置は、前述のように構成されるから、第１に、防護盾は強盗に立ち向える身近の位置に常置させることができ、従業者は、これを直ぐ取出して凶器から身を保護できる。第２に、従業者は、設置台から防護盾を引き抜くだけであるから、操作が簡単で、しかも、防護盾を引き抜きにより、設置台上に設けた警音器本体が確実に作動して大音響を発生するものであるから、音響の発生位置から従業者が離れ、強盗がその大音響の停止行動に出た場合においても、従業者は距離を確保することができ、不必要な危険を回避しながら、大音響による抑止力を効果的に強盗に及ぼすことができる。第３に、カウンター用設置台と、バックカウンター取付用設置台と組合わせて使用できるようにしているので、一個の警報器本体でもって、カウンター上の空いたスペース、カウンター下のロッカー扉、バックカウンターのドアーなど、従来利用・活用されていなかった箇所を選択活用して載置又は吊架という異なった方法で設置することができる。
【考案を実施するための最良の形態】
【００１７】
警音器の警音発生スイッチを配備した防護盾と、該警音発生スイッチを配備した防護盾を抜き差し自在の保護盾ポケットを配備し、かつ、該警音発生スイッチと関連する警音器本体を具備したカウンター用設置台と、その警音器の警音器本体を配備したカウンター用設置台を収容するポケットを配備したバックカウンター取付用設置台とからなる構成すると共に、前記バックカウンター取付用設置台は、下半背面側にカウンター用設置台を上方から差込み収容自在のカウンター用設置台差込みポケットを設け、同じくその上半正面側にドアー、棚等へのフックを設け、前記バックカウンター取付用設置台のカウンター用設置台差込みポケットは、正面板部の背面側に、上部の一部を残して下方の左右側縁と下縁より背面側に折曲接続して左右側壁と底壁を形成すると共に、それらの先端縁に背面板部をコ字型に接続形成し、また、背面板部のコ字型内縁の内側を開口し、該カウンター用設置台差込みポケットに前記警音器本体を配置したカウンター用設置台を差し込み自在に形成し、前記フックは、前記正面板部には、帯状板をもって、正面板部の上縁より上方に所要長さ突出する背面側吊架部と、その上端を正面側に所要巾折曲して天部を設けると共に、その先端側を所要長さ下方に折曲して正面側吊架部に設け、それら左右のフックの天部を中心に背面側吊部と正面側吊架部とによりカウンターまたはバックカウンターのドアーの上端に掛架すると共に両側から該ドアーの両面を挟持して設置できるように設け、前記バックカウンター取付用設置台における正面板部の正面に吸盤を配備し、カウンターまたはバックカウンターのドアーにセット時に吸着して、ドアーに固着して設置し、または、警音器の警音発生スイッチを配備した防護盾と、該警音器の警音器本体を抜き差し自在の保護盾ポッケを配備するカウンター用設置台とからカウンター上に設置してなる警音器付防護盾装置。
【実施例】
【００１８】
以下、この考案の警音器付防護盾装置を実施例として示す図面により説明すると、第１の実施例の警音器付防護盾装置１は、警音器２の警音発生スイッチ２ａを配備した防護盾３と、前記警音器２の警音器本体２ｂを具備した保護盾３を抜き差し自在の保護盾ポケット４を配備したカウンター用設置台５とから構成している。
【００１９】
前記警音器２の警音発生スイッチ２ａを具備した防護盾３は、所要厚のアルミニウム板を縦横長さの方形に裁断して設けられる方形板体３ａの背面中央上下に、上下端６ａ、６ｂを連接固着して配備するするハンドル６と、方形板体３ａの背面において、ハンドル６の下端の下方に警音器２の警音発生スイッチ２ａを固着具備している。
【００２０】
前記カウンター用設置台５は、背面板部５ａの正面側に保護盾３の下半１／２〜１／４程度を抜き差し自在に差込保持する保護盾ポケット４を設け、背面板部５ａの上縁５ａ１は、保護盾ポケット４の上縁４ａより上方へ所要高さ突出し、その上部背面の左右側線寄りに左右が同一軸線の軸受筒７ａ、７ｂを設け、その左右の軸受筒７ａ、７ｂに傾斜支持用脚８における左右の先端に形成した軸部８ａ、８ｂを差込み、前記軸受筒７ａ、７ｂを中心に傾斜支持用脚８の全体を所要角回動自在に支承している。
【００２１】
前記傾斜支持用脚８の左右先端の軸部８ａ、８ｂに連続する内側所要長さを同一面上の方形枠８ｃ、８ｄに左右に折曲形成し、この方形枠８ｃ、８ｄを上端部とし、この方形枠８ｃ、８ｄを背面板部５ａに連接し、傾斜支持用脚８の背面板部５ａに対する展開角を一定に規制している。
【００２２】
前記傾斜支持用脚８の下端接面部８ｅの中間部を所要巾前方側へコ字形に折曲・突設してクリップ部８ｆを設けている。前記下端接面部８ｅには、ゴム、合成樹脂等の弾性材製の滑止管９ａ、９ｂを嵌装している。
【００２３】
背面板部５ａの中央部は、保護盾ポケット４の上縁４ａより下方へ方形の差し込み口５ａ３を設け、この差し込み口５ａ３の底縁５ａ３１と背面板部５ａの背面壁板部底縁５ａ４との間における背面板部５ａの背面に警音器本体２ｂを取付け、前記防護盾３を保護盾ポケット４に差込保持時に警音発生スイッチ２aを警音器本体２ｂに連接し、その警音器 本体２ｂを発生待機状態に維持するように設けている。
【００２４】
この考案の第１の実施例の警音器付防護盾装置１は、前述のようになるから、カウンター用設置台５の保護盾ポケット４には、保護盾３を差し込み、ハンドル６を背面側に突出した状態で支持し、また、カウンター用設置台５は、背面板部５ａに軸受される傾斜支持用脚８によって適切な角度に傾斜してカウンター１０に設置することができる。
【００２５】
また、カウンター用設置台５には、警音器本体２ｂを取付け、これを作動させる警音発生スイッチ２ａは、防護盾３に具備しているので、防護盾３を防護盾ポケット４に差し込んでセットしたときに警音器本体２ｂを警音の発生待機状態にセットすることができる。
【００２６】
カウンター用設置台５に防護盾３を常時セットした状態で使用することができ、また、背面に配備する傾斜支持用脚８によって適切な角度に傾斜してカウンター１０に設置することができるから、図１０に示すように、凶器を振りかざして金銭を要求された場合においても、ハンドル６を持って防護盾３をカウンター用設置台５から素早く引き抜き、これにより身を守ることができる。
【００２７】
カウンター用設置台５には、警音器本体２ｂを具備しているから、防護盾３の引き抜きと同時に作動して大音響を発生するので、金銭要求者は、防犯システムの作動に起因して心理的に驚愕する。また、その音源がカウンター用設置台５にあるので、当初の対象店員から注目がそがれて攻撃の対象が専らその音源に向うから、その一瞬の隙に逃げる機会が生じものである。また、多くは、大音響に要求の意志を断念させ、逃走に移らせるものである。
【００２８】
次に、この考案の第２の実施例の警音器付防護盾装置１１は、前記警音発生スイッチ２ａを配備した防護盾３と、該警音器２の警音器本体２ｂを具備した保護盾３を抜き差し自在の保護盾ポケット４を配備したカウンター用設置台５と、その警音器２の警音器本体２ｂを具備したカウンター用設置台５を収容するポケットを配備したバックカウンター取付用設置台１２とからなるものである。
【００２９】
前記バックカウンター取付用設置台１２は、下半背面側に上方から前記カウンター用設置台５を差込み、収容保持するカウンター用設置台差込みポケット１３を設け、上半正面側にバックカウンター１４のドアー１４ａおよびその他取付け棚（図示しない）等へのフック１５を設けている。
【００３０】
前記バックカウンター取付用設置台１２のカウンター用設置台差込みポケット１３は、図面に示す実施例では、正面板部１３ａの背面側に、上部の一部を残して下方の左右側縁と下縁より背面側に折曲接続して左右側壁１３ｂ１、１３ｂ２と底壁１３ｂ３を形成すると共に、それらの先端縁に背面板部１３ｃをコ字型に接続形成し、また、背面板部１３ｃのコ字型内縁１３ｃ１の内側を開口し、該カウンター用設置台差込みポケット１３に前記警音器本体２ｂと共に、カウンター用設置台５の下半を差し込み自在に形成している。
【００３１】
前記カウンター用設置台差込みポケット１３の正面板部１３ａには、接続する帯状板をもって、正面板部１３ａの上縁より上方に所要長さ突出させ、前記フック１５を左右に離隔して設けている。
【００３２】
前記フック１５は、図面に示す実施例では、前記正面板部１３ａには、前記のように、帯状板をもって、正面板部１３ａの上縁より上方に所要長さ突出する背面側吊架部１５ａと、その上端を正面側に所要巾折曲して天部１５ｂを設けると共に、その先端側を所要長さ下方に折曲して正面側吊架部１５ｃに設けている。したがって、それら左右のフック１５の天部１５ｂを中心に背面側吊架部１５ａと正面側吊架部１５ｃとによりバックカウンター１４のドアー１４aの上端に掛架すると共に両側からドアー１４ａの両面を挟持して 設置できるように設けている。
【００３３】
前記バックカウンター取付用設置台１２における正面板部１３ａの正面に吸盤１６を配備し、前記ドアー１４aにセット時に吸着し、ドアー１４aに固着している。
【００３４】
フック１５を、図面に示す実施例では、帯状板より設けているので、左右に離隔して配備し、この帯状板に前記吸盤１６を設置してもよいものである。
【００３５】
この考案の第２の実施例の警音器付防護盾装置１１は、図面に示す実施例としては、前述のように構成され、バックカウンター用設置台１２のカウンター用設置台差込みポケット１３においては、正面板部１３ａの背面側に上部の一部を残して下方の左右側縁と下縁より背面側に折曲接続して左右側壁１３ｂ１、１３ｂ２と底壁１３ｂ３を形成すると共に、それらの先端縁に背面板部１３ｃをコ字型に接続形成し、背面板部１３ｃのコ字型内縁１３ｃ１の内側を開口し、該部に前記警音器本体２ｂを差し込み自在に形成しているので、カウンター用設置台５をカウンター用設置台差し込みポケット１３に差し込むとき、傾斜支持用脚８、警音器２の警音発生スイッチ２ａおよび警音器本体２ｂと衝突することなく、防護盾３を所要位置まで差し込むことができ、次に、カウンター用設置台５の傾斜支脚８の下端に設けているクリップ部８ｅをバックカウンター取付用設置台１２のカウンター用設置台差し込みポケット１３の底壁外面１３ｂ３１に係着し、バックカウンター用設置台１２とカウンター用設置台５を一体化し、固定状態にセットできる。
【００３６】
次に、このバックカウンター用設置台１２にカウンター用設置台５をセットした状態において、図８に示すように、バックカウンター用設置台１２の正面をバックカウンター１４のドアー１４ａに対面し、バックカウンター用設置台１２のフック１５をドアー１４a の上縁１４ａ１に掛け、前後から挟持し、また、バックカウンター用設置台１２の吸盤１６をドアー１４aの外面に吸着し、バックカウンター用設置台１２をドアー１４aに固定することかできる。
【００３７】
この考案では、カウンター用設置台５は、バックカウンター用設置台１２のカウンター用設置台差込みポケット１３に差し込んでセットできるから、バックカウンター１４のドアー１４ａにフック１５を掛けて、全体を吊架・設置することができ、この考案の第２の実施例の警音器付防護盾装置１１をカウンター１０の一箇所に限定しないで、バックカウンター１４のドアー１４ａを利用し、狭い店内のスペースおよび部材を適切に活用して設置できるものである。なお、図示しないが、その他取付け棚へ吊架・設置してもよいものである。
【００３８】
前記警音器本体２ｂには、送信回路を配備し、警音発生と同時に警察、警備会社に通報することができるものであることは、勿論である。
【産業上の利用可能性】
【００３９】
この考案の警音器付防護盾装置は、以上のようになるから、発生する危険から身を守ることができ、また、犯行に防御的に立ち向い、しかも、警音効果により犯行を断念させことに効果を奏するものである。
【図面の簡単な説明】
【００４０】
【図１】この考案の警音器付防護盾装置の第１の実施例と第２の実施例の防護盾と、カウンター用設置台と、バックカウンター用設置台の構成部材を示す分解斜視図である。
【図２】この考案の警音器付防護盾装置の第１の実施例の正面図であって、防護盾をカウンター用設置台にセットした状態を示すものである。
【図３】同じく、第１の実施例の背面図である。
【図４】同じく、第１の実施例の側面図である。
【図５】同じく、第１の実施例の防護盾単体の背面図である。
【図６】この考案の警音器付防護盾装置の第２の実施例の正面図であって、第１の防護盾をカウンター用設置台にセットした後、バックカウンター用設置台にセットした状態を示すものである。
【図７】同じく、第２の実施例の背面図である。
【図８】同じく、第２の実施例の側面図である。
【図９】この考案の警音器付防護盾装置の第１の実施例において、カウンターに設置したカウンターに設置したカウンター用設置台から防護盾を引き抜いた状態を示す説明図である。
【図１０】この考案の警音器付防護盾装置の第２の実施例の防護盾と、カウンター用設置台と、バックカウンター用設置台にセットした状態において、バックカウンターのドアーに取付・設置例を示す説明図である。
【図１１】同じく、第２の実施例において、防護盾を引き抜く状態を示す使用説明図である。
【符号の説明】
【００４１】
１  第１の実施例の警音器付防護盾装置
２  警音器
２ａ  警音発生スイッチ
２ｂ  警音器本体
３  防護盾
３ａ  方形板体
４  保護盾ポケット
４ａ  上縁
５  カウンター用設置台
５ａ  背面板部
５ａ１  上縁
５ａ３  差し込み口
５ａ３１  底縁
５ａ４  背面壁板部底縁
６ａ  上端
６ｂ  下端  
６  ハンドル
７ａ  軸受筒
７ｂ  軸受筒
８  傾斜支持用脚  
８ａ  軸部
８ｂ  軸部
８ｃ  方形枠
８ｄ  方形枠
８ｅ  下端接面部
８ｆ  クリップ部
９ａ  滑止管
９ｂ  滑止管
１０  カウンター
１１  第２の実施例の警音器付防護盾装置
１２  バックカウンター取付用設置台
１３  カウンター用設置台差込みポケット
１３ａ  正面板部
１３ｂ１  左右側壁
１３ｂ２  左右側壁
１３ｂ３  底壁
１３ｂ３１  底壁外面
１３ｃ  背面板部
１３ｃ１  コ字型内縁
１４  バックカウンター
１４ａ  ドアー
１４ａ１  上縁
１５  フック
１５ａ  背面側吊架部
１５ｂ  天部
１５ｃ  正面側吊架部
１６  吸盤
【図１】
0003108610.tif 000003
【図２】
0003108610.tif 000004
【図３】
0003108610.tif 000005
【図４】
0003108610.tif 000006
【図５】
0003108610.tif 000007
【図６】
0003108610.tif 000008
【図７】
0003108610.tif 000009
【図８】
0003108610.tif 000010
【図９】
0003108610.tif 000011
【図１０】
0003108610.tif 000012
【図１１】
0003108610.tif 000013
【手続補正書】
【提出日】平成16年11月9日(2004.11.9)
【手続補正１】
【補正対象書類名】明細書
【補正対象項目名】０００２
【補正方法】変更
【補正の内容】
【０００２】
従来、コンビニエンスストアー等の小売販売店において、強盗から凶器を突き付けられて金銭を要求されたとき、その凶器から身を守るために、例えば、第１に特開２０００−３５２９８号公報では、防刃盾が提案されている。また、身を守りつつその要求を断念させるために、例えば、第２に特開２００４−２９３８４５号公報では、防護盾に警音器を取付け、防護盾の使用により身を守ると共に、警音器から発する大音響により、怯ませ、かつ、周囲に強盗侵入の非常事態を報知させる警音器つき防護盾の提案がある。
【特許文献１】特開２０００−３５２９８号公報
【特許文献２】特開２００４−２９３８４５号公報